(57)【特許請求の範囲】
【請求項１】
進化したマルチメディア・ブロードキャスト／マルチキャスト・サービス（進化したＭＢＭＳ）をサポートするシステム構造であって、
マルチメディア・ブロードキャスト／マルチキャスト・サービス（ＭＢＭＳ）に関するセッション開始メッセージを含むＭＢＭＳ制御シグナリングとベアラ・サービスとを開始し、該ＭＢＭＳ制御シグナリングおよび該ベアラ・サービスのＭＢＭＳサービス・データを送信するブロードキャスト／マルチキャスト・サービス・センタ（ＢＭ−ＳＣ）と、
前記ＢＭ−ＳＣからの前記ＭＢＭＳサービス・データおよび前記ＭＢＭＳ制御シグナリング、または別のネットワークからのサービス・データを受信し、前記受信されたサービス・データおよび前記受信された制御シグナリングを転送する、システム・アーキテクチャが進化したゲートウェイ（ＳＡＥ  ＧＷ）と、
前記ＳＡＥ  ＧＷから前記ＭＢＭＳ制御シグナリングを受信し、処理し、転送するブロードキャスト／マルチキャスト管理エンティティ（ＢＭＥ）であって、前記ＳＡＥ  ＧＷからの前記ＭＢＭＳサービス・データの各アイテムに関して、前記ＭＢＭＳ制御シグナリングを受信する必要がある拡張ＮｏｄｅＢ（ｅＮＢ）を特定し、該特定されたｅＮＢに前記ＭＢＭＳ制御シグナリングを転送するように構成されたＢＭＥと、
前記ＢＭ−ＳＣから前記ＭＢＭＳサービス・データを受信し、進化したパケット・システム・アーキテクチャ・エボリューションにおいて前記受信されたＭＢＭＳサービス・データを処理し、前記処理されたＭＢＭＳサービス・データを下流のノードに転送するマルチキャスト・ユーザ・プレーン・エンティティ（ｍＵＰＥ）とを含む、システム構造。
【請求項２】
前記ＳＡＥ  ＧＷは、
前記ＢＭ−ＳＣまたは別のネットワークから前記ＭＢＭＳサービス・データおよび前記ＭＢＭＳ制御シグナリングを受信し、サービス・パラメータをローカルで格納し、前記受信されたサービス・データおよび前記受信された制御シグナリングをサービングＳＡＥ  ＧＷに転送するパケット・データ・ネットワークＳＡＥ  ＧＷと、
前記パケット・データ・ネットワークＳＡＥ  ＧＷから前記ＭＢＭＳサービス・データおよび前記ＭＢＭＳ制御シグナリングを受信し、サービス・パラメータをローカルで格納し、前記受信されたサービス・データおよび前記受信された制御シグナリングを前記下流のノードに転送する前記サービングＳＡＥ  ＧＷとを含む、請求項１に記載のシステム構造。
【請求項３】
前記サービングＳＡＥ  ＧＷと前記パケット・データ・ネットワークＳＡＥ  ＧＷとが１つの同一の物理的ノードに配置される、請求項２に記載のシステム構造。
【請求項４】
前記サービングＳＡＥ  ＧＷと前記パケット・データ・ネットワークＳＡＥ  ＧＷとが異なる物理的ノードに配置される、請求項２に記載のシステム構造。
【請求項５】
前記サービングＳＡＥ  ＧＷは、転送されるべき前記ＭＢＭＳに対する配信ツリー管理の機能を有する、請求項２に記載のシステム構造。
【請求項６】
前記サービングＳＡＥ  ＧＷは、前記パケット・データ・ネットワークＳＡＥ  ＧＷから転送された制御シグナリングの中に含まれるパラメータをローカルで格納する、請求項２に記載のシステム構造。
【請求項７】
前記ＢＭＥは、前記ＳＡＥ  ＧＷから転送された制御シグナリングの中に含まれるパラメータを格納する、請求項１に記載のシステム構造。
【請求項８】
前記ＢＭＥは、転送されるべき前記ＭＢＭＳに対する配信ツリー管理の機能を有する、請求項１に記載のシステム構造。
【請求項９】
前記ＢＭＥは、前記進化したＭＢＭＳのための管理エンティティである、請求項１に記載のシステム構造。
【請求項１０】
前記ＢＭＥは、個別のネットワーク・セルとして実施されることが可能であり、あるいは、マルチキャスト調整エンティティ（ＭＣＥ）内または移動性管理エンティティ（ＭＭＥ）内で提供されることが可能である、請求項１に記載のシステム構造。
【請求項１１】
前記ＢＭＥは、インタフェースを介して前記サービングＳＡＥ  ＧＷおよびノード（ｅＮＢ）にそれぞれ接続される、請求項１に記載のシステム構造。
【請求項１２】
前記ＭＢＭＳは進化したＭＢＭＳである、請求項１乃至１１のいずれか１項に記載のシステム構造。
【請求項１３】
システム・アーキテクチャ・エボリューションにおいてマルチメディア・ブロードキャスト／マルチキャスト・サービス（ＭＢＭＳ）をサポートする方法であって、
ブロードキャスト／マルチキャスト・サービス・センタ（ＢＭ−ＳＣ）によって、セッション開始メッセージを含むＭＢＭＳ制御シグナリングとＭＢＭＳベアラ・サービスとを開始し、該ＭＢＭＳ制御シグナリングおよび該ＭＢＭＳベアラ・サービスのＭＢＭＳサービス・データを、システム・アーキテクチャが進化したゲートウェイ（ＳＡＥ  ＧＷ）に転送する、または別のネットワークによるサービス・データを前記ＳＡＥ  ＧＷに送信するステップと、
前記ＳＡＥ  ＧＷが、前記ＭＢＭＳ制御シグナリングおよび前記ＭＢＭＳサービス・データ、または別のネットワークからの前記サービス・データを受信した後、前記ＳＡＥ  ＧＷによって、前記受信されたＭＢＭＳ制御シグナリングをブロードキャスト／マルチキャスト管理エンティティ（ＢＭＥ）に転送し、前記受信されたＭＢＭＳサービス・データ、または前記別のネットワークからの前記サービス・データを、マルチキャスト・ユーザ・プレーン・エンティティ（ｍＵＰＥ）に転送するステップと、
前記ＢＭＥが前記ＭＢＭＳ制御シグナリングを受信した後、前記ＢＭＥによって、前記ＭＢＭＳ制御シグナリングを受信する必要がある拡張ＮｏｄｅＢ（ｅＮＢ）を特定し、該特定されたｅＮＢに前記受信されたＭＢＭＳ制御シグナリングを転送するステップと、
前記ｍＵＰＥが前記ＭＢＭＳサービス・データを受信した後、前記ｍＵＰＥによって、進化したパケット・コア・ネットワークにおいて前記受信されたＭＢＭＳサービス・データにコア・ネットワーク処理を実行し、前記処理されたＭＢＭＳサービス・データを下流のノードに転送するステップとを含む、方法。
【請求項１４】
前記ＳＡＥ  ＧＷによって、転送されるべき前記ＭＢＭＳに対して配信ツリー管理を実行するステップをさらに含む、請求項１３に記載の方法。
【請求項１５】
ブロードキャスト／マルチキャスト管理エンティティ（ＢＭＥ）によって、転送されるべき前記ＭＢＭＳに対して配信ツリー管理を実行するステップをさらに含む、請求項１３に記載の方法。
【請求項１６】
前記ＭＢＭＳは、進化したＭＢＭＳである請求項１３乃至１５のいずれか１項に記載の方法。
【請求項１７】
システム・アーキテクチャ・エボリューションにおいてマルチメディア・ブロードキャスト／マルチキャスト・サービス（ＭＢＭＳ）を伝送する方法であって、
ブロードキャスト／マルチキャスト・サービス・センタ（ＢＭ−ＳＣ）によって、ＭＢＭＳセッション開始メッセージを開始し、前記ＭＢＭＳセッション開始メッセージを対応するシステム・アーキテクチャが進化したゲートウェイ（ＳＡＥ  ＧＷ）に転送するステップと、
前記ＳＡＥ  ＧＷが前記ＭＢＭＳセッション開始メッセージを受信した後、前記ＳＡＥ  ＧＷによって、前記受信されたＭＢＭＳセッション開始メッセージを対応するブロードキャスト／マルチキャスト管理エンティティ（ＢＭＥ）に転送するステップと、
前記ＭＢＭＳセッション開始メッセージの前記受信に応答して、前記ＳＡＥ  ＧＷによって前記ＢＭ−ＳＣに応答メッセージを送り返して、前記メッセージの前記受信を確認するステップと、
前記ＢＭＥによって、前記ＳＡＥ  ＧＷから転送された前記ＭＢＭＳセッション開始メッセージを受信し、前記ＭＢＭＳセッション開始メッセージを受信する必要がある拡張ＮｏｄｅＢ（ｅＮＢ）を特定し、前記受信されたＭＢＭＳセッション開始メッセージを、該特定されたｅＮＢに転送するステップと、
前記ＭＢＭＳセッション開始メッセージの前記受信に応答して、前記ＢＭＥによって前記ＳＡＥ  ＧＷに応答メッセージを送り返して、前記メッセージの前記受信を確認するステップと、
前記ＭＢＭＳセッション開始メッセージの前記受信に応答して、前記ｅＮＢのそれぞれによって前記ＢＭＥに応答メッセージを送り返して、前記メッセージの前記受信を確認するステップとを含む、方法。
【請求項１８】
前記ＳＡＥ  ＧＷによって、前記ＭＢＭＳセッション開始メッセージの中に含まれるパラメータをローカルで格納するステップをさらに含む、請求項１７に記載の方法。
【請求項１９】
前記ＢＭＥによって、前記ＭＢＭＳセッション開始メッセージの中に含まれるパラメータをローカルで格納するステップをさらに含む、請求項１７に記載の方法。
【請求項２０】
前記ＢＭＥは、ＭＢＭＳセッションを更新すること、および停止することができる、請求項１７に記載の方法。
【発明の詳細な説明】
【技術分野】
【０００１】
本発明は、無線通信システムのコア・ネットワークにおいてＥＭＢＭＳ（進化したマルチメディア・ブロードキャスト／マルチキャスト・サービス）をサポートするためのアーキテクチャ・システムに関し、詳細には、３ＧＰＰ（第３世代パートナーシップ・プロジェクト）のＳＡＥ／ＬＴＥ（システム・アーキテクチャ・エボリューション／ロングターム・エボリューション）においてＥＭＢＭＳをサポートするためのコア・ネットワーク・アーキテクチャ、およびこのアーキテクチャ・システムを使用する方法に関する。
【背景技術】
【０００２】
ロングターム・エボリューションのプロジェクトは、より高いデータ・スループット、および向上したネットワーク・パフォーマンスで事業者および契約者の増大する要求のサポートを提供することを目指して、２００５年に３ＧＰＰによって開始された。
【０００３】
３ＧＰＰ  Ｒｅｌ６によって導入されたＭＢＭＳ（マルチメディア・ブロードキャスト／マルチキャスト・サービス）は、ネットワーク（コア・ネットワークおよびアクセス・ネットワークを含む）リソースを共有し、場合により、可能な限り少ないリソースを費やして同一の要求を有する最大の数のマルチメディア契約者にサービスを提供するように、１つのデータ・ソースから複数の契約者にデータを伝送するためのポイント・ツー・ポイント・サービスである。無線アクセス・ネットワークにおいて、ＭＢＭＳサービスは、共通伝送チャネルおよび共通無線ベアラを使用して、ピュア・テキストにおける、より低いレートのメッセージ・タイプのマルチキャストおよびブロードキャストと、テレビ機能を有する移動電話などの、マルチメディア・サービスの、より高いレートのマルチキャストおよびブロードキャストの両方を実施する。
【０００４】
図１は、ＷＣＤＭＡシステムなどの移動通信ネットワークの例を概略で示す。図１に示されるとおり、ＮｏｄｅＢ  １１、１２、および１３などの複数のＮｏｄｅＢが、移動通信ネットワークにおいてＲＮＣ（無線ネットワーク・コントローラ）１０などのＮｏｄｅＢコントローラに接続される。単一のＲＮＣ１０が、いくつかのＮｏｄｅＢを管理する。これらのＮｏｄｅＢのそれぞれは、有線伝送を介してＲＮＣに接続され、これらのＮｏｄｅＢの間のインタフェースは、Ｉｕｂインタフェースとして規定される。また、ＲＮＣ１０が、Ｉｕインタフェースを介してシステム・アーキテクチャ・エボリューション・ネットワーク（ＣＮ）のＳＧＳＮ（サービング・ゲートウェイ・サポート・ノード）に接続されることも可能である。
【０００５】
図２は、３ＧＰＰ  Ｒｅｌ６バージョンにおけるＭＢＭＳネットワーク構造の図を概略で示す。ＭＢＭＳをサポートするネットワーク・セルは、ＢＭ−ＳＣ（ブロードキャスト／マルチキャスト・サービス・センタ）、ＧＧＳＮ（ＧＰＲＳゲートウェイ・サポート・ノード）、ＳＧＳＮ、ＮｏｄｅＢおよびＲＮＣを含むアクセス・ネットワーク（ＵＴＲＡＮ）、およびＵＥ（ユーザ機器）を含む。ＢＭ−ＳＣは、コンテンツ・プロバイダのための入口であり、ＰＬＭＮ（公共陸線移動通信ネットワーク）においてＭＢＭＳベアラ・サービスを開始し、事前定義されたスケジュールに従ってＭＢＭＳデータを伝送して、許可のために適合される。ＲＮＣは、ＭＢＭＳベアラ・サービス上の無線リソースの割り当ておよび制御を実行し、ＭＢＭＳサービス・データをＮｏｄｅＢに伝送し、ＮｏｄｅＢは、無線インタフェースを介して、ＭＢＭＳサービス・データおよびＭＢＭＳ制御シグナリングを効率的に伝送することを担う。
【０００６】
ＳＡＥ／ＬＴＥの仕様は、Ｒｅｌ７バージョン以来、３ＧＰＰによって規定されている。ネットワーク・アーキテクチャを単純化し、遅延を短くするため、ＳＡＥ／ＬＴＥは、ネットワーク・セルとしてのＲＮＣを取り消す。ＲＮＣの機能は、ＮｏｄｅＢ（ｅＮｏｄｅＢ）およびコア・ネットワークに分散される。現在のＳＡＥ／ＬＴＥベースのネットワーク・アーキテクチャは、エボリューション以前のアーキテクチャより平坦である。無線アクセス・ネットワークの部分は、２つのネットワーク・ノード（ＮｏｄｅＢ＋ＲＮＣ）という元の構造から、単一のネットワーク（ｅＮＢとも略される、拡張ＮｏｄｅＢ）の構造に縮小される。ＭＢＭＳは、ＳＡＥ／ＬＴＥベースのネットワーク・アーキテクチャにおいてＥＭＢＭＳ（進化したＭＢＭＳ）と呼ばれる。
【０００７】
現行の仕様バージョンは、システム・アーキテクチャが進化したネットワークに関してユニキャスト・サービスをサポートするアーキテクチャだけを規定する。システム・アーキテクチャが進化したネットワークにおいてＭＢＭＳをサポートするアーキテクチャに提案は全く与えられていない。システム・アーキテクチャ・エボリューションにおいてＭＢＭＳをサポートするためのシステム・アーキテクチャが進化したネットワーク・エンティティの必要性が、存在する。
【先行技術文献】
【非特許文献】
【０００８】
【非特許文献１】３ＧＰＰ  Ｒｅｌ６
【非特許文献２】３ＧＰＰ  Ｒｅｌ７
【発明の概要】
【発明が解決しようとする課題】
【０００９】
本発明の目的は、システム・アーキテクチャ・エボリューションにおいてＥＭＢＭＳをサポートすることができ、ｅＮＢへのＥＭＢＭＳ制御シグナリングおよびＥＭＢＭＳサービス・データの効率的な伝送を可能にする、ＥＭＢＭＳをサポートするためのシステム構造および方法を提供することである。
【課題を解決するための手段】
【００１０】
前述の目的を達するのに、本発明の或る態様において、本発明は、
ＭＢＭＳ（マルチメディア・ブロードキャスト／マルチキャスト・サービス）に関する制御シグナリングおよびベアラ・サービスを開始するためのＢＭ−ＳＣ（ブロードキャスト／マルチキャスト・サービス・センタ）と、
ＭＢＭＳサービス・データおよびＭＢＭＳ制御シグナリング、または別のネットワークからのサービス・データを受信し、受信されたサービス・データおよび受信された制御シグナリングを転送するためのＳＡＥ  ＧＷ（システム・アーキテクチャが進化したゲートウェイ）と、
ＭＢＭＳ制御シグナリングを受信し、処理し、転送するとともに、ＭＢＭＳに関するサービス・データの各アイテムに関して、この制御シグナリングを受信する必要があるｅＮＢ（拡張ＮｏｄｅＢ）を特定するためのＢＭＥ（ブロードキャスト／マルチキャスト管理エンティティ）と、
ＭＢＭＳサービス・データを受信し、進化したパケット・システム・アーキテクチャ・エボリューションにおいて、受信されたＭＢＭＳサービス・データを処理し、処理されたＭＢＭＳサービス・データを下流のノードに転送するためのｍＵＰＥ（マルチキャスト・ユーザ・プレーン・エンティティ）とを含む進化したＭＢＭＳ（進化したマルチメディア・ブロードキャスト／マルチキャスト・サービス）をサポートするためのシステム構造を提供する。
【００１１】
本発明の別の態様では、本発明は、
ＢＭ−ＳＣ（ブロードキャスト／マルチキャスト・サービス・センタ）によって、ＭＢＭＳベアラ・サービスを開始し、これらのサービスをＳＡＥ  ＧＷ（システム・アーキテクチャが進化したゲートウェイ）に転送する、または別のネットワークによるサービス・データをＳＡＥ  ＧＷに送信するステップと、
ＳＡＥ  ＧＷが、ＭＢＭＳサービス・データ、またはこの別のネットワークからのサービス・データを受信した後、ＳＡＥ  ＧＷによって、受信されたＭＢＭＳサービス・データ、またはこの別のネットワークからのサービス・データをｍＵＰＥ（マルチキャスト・ユーザ・プレーン・エンティティ）に転送するステップと、
ｍＵＰＥが、ＭＢＭＳサービス・データを受信した後、ｍＵＰＥによって、進化したパケット・コア・ネットワークにおいて、受信されたＭＢＭＳサービス・データに対するコア・ネットワーク処理を実行し、処理されたＭＢＭＳサービス・データを下流のノードに転送するステップとを含む、システム・アーキテクチャ・エボリューションにおいてＭＢＭＳ（マルチメディア・ブロードキャスト／マルチキャスト・サービス）をサポートするための方法を提供する。
【００１２】
本発明の別の態様では、本発明は、
ＢＭ−ＳＣ（ブロードキャスト／マルチキャスト・サービス・センタ）によって、ＭＢＭＳセッション開始メッセージを開始し、このＭＢＭＳセッション開始メッセージを、対応するＳＡＥ  ＧＷ（システム・アーキテクチャが進化したゲートウェイ）に転送するステップと、
ＳＡＥ  ＧＷが、ＭＢＭＳセッション開始メッセージを受信した後、ＳＡＥ  ＧＷによって、受信されたＭＢＭＳセッション開始メッセージを、対応するＢＭＥ（ブロードキャスト／マルチキャスト管理エンティティ）に転送するステップと、
ＳＡＥ  ＧＷによって、ＭＢＭＳセッション開始メッセージの受信に応答して、ＢＭ−ＳＣに応答メッセージを送り返して、そのメッセージの受信を確認するようにするステップと、
ＢＭＥによって、ＳＡＥ  ＧＷから転送されたＭＢＭＳセッション開始メッセージを受信し、受信されたＭＢＭＳセッション開始メッセージを、ＢＭＥに接続され、ＭＢＭＳによって範囲に含まれるサービスエリア内に位置するｅＮＢ（拡張Ｎｏｄｅ  Ｂ）のそれぞれに転送するステップと、
ＢＭＥによって、ＭＢＭＳセッション開始メッセージの受信に応答して、ＳＡＥ  ＧＷに応答メッセージを送り返して、そのメッセージの受信を確認するようにするステップと、
ｅＮＢのそれぞれによって、ＭＢＭＳセッション開始メッセージの受信に応答して、ＢＭＥに応答メッセージを送り返して、そのメッセージの受信を確認するようにするステップとを含む、システム・アーキテクチャ・エボリューションにおいてＭＢＭＳ（マルチメディア・ブロードキャスト／マルチキャスト・サービス）を伝送するための方法を提供する。
【００１３】
本発明の特徴および利点は、添付の図面を参照して以下の詳細な説明から、より明白となることが可能である。
【図面の簡単な説明】
【００１４】
【図１】ＷＣＤＭＡ無線アクセス・ネットワークのシステム構造を示す概略図である。
【図２】Ｒｅｌ６バージョンのＭＢＭＳに関するネットワーク・トポロジ構造を示す概略図である。
【図３】本発明の実施形態によるＭＢＭＳをサポートするシステム・アーキテクチャ・エボリューションを示す概略図である。
【図４】本発明の実施形態によるＭＢＭＳをサポートするシステム・アーキテクチャ・エボリューションにおいてサービス・データを伝送するプロセスを示す流れ図である。
【発明を実施するための形態】
【００１５】
次に、本発明の好ましい実施形態を、添付の図面を参照して、以下により完全に説明する。簡明のため、さもなければ、本発明の主題を弱める、本明細書に組み込まれている、知られている機能および構造の詳細な説明は、省略される。
【００１６】
次に、本発明の実施形態による進化したパケット・システム・アーキテクチャ・エボリューションにおけるＭＢＭＳをサポートするシステム・アーキテクチャの概略図を示す図３を参照する。
【００１７】
図３において、太い線は、新たに追加された機能要素およびインタフェースを表し、細い線は、従来の構造における既存の機能要素およびインタフェースを表す。このアーキテクチャは、アーキテクチャの中心として移動体ネットワークを有し、このため、固定アクセスと３ＧＰＰの間の移動性をサポートすることができる。
【００１８】
図３に示される実施形態は、別個のユーザ・プレーンおよび制御プレーンを有する進化したパケット・コア・ネットワークにおいてＥＭＢＭＳをサポートする構造を提供する。
【００１９】
図３に示されるとおり、この実施形態のシステム・アーキテクチャは、ＢＭ−ＳＣ４１と、サービングＳＡＥ  ＧＷ４２と、ＰＤＮ（パケット・データ・ネットワーク）ＳＡＥ  ＧＷ４３と、ＢＭＥ４４と、ｅＮＢ４５と、ＵＥ４６と、ＭＭＥ（移動性管理エンティティ）４７と、ＰＣＲＦ（ポリシー／料金請求規則機能）４８と、ＨＳＳ（ホーム契約者サーバ）４９と、ＳＧＳＮ（サービング・ゲートウェイ・サポート・ノード）５０と、事業者のＩＰサービスとを含む。
【００２０】
本発明は、サービングＳＡＥ  ＧＷとＰＤＮ（パケット・データ・ネットワーク）ＳＡＥ  ＧＷとが、同一の物理的ノードに配置されている構成と、サービングＳＡＥ  ＧＷとＰＤＮ  ＳＡＥ  ＧＷとが、異なる物理的ノードに配置されている構成をともにサポートする。つまり、サービングＳＡＥ  ＧＷとＰＤＮ  ＳＡＥ  ＧＷとは、互いに分離されることが可能である。簡潔のため、本発明は、サービングＳＡＥ  ＧＷとＰＤＮ  ＳＡＥ  ＧＷとが、同一の物理的ノードに配置されている構成を例示することによって説明される。
【００２１】
この実施形態では、ＢＭ−ＳＣ４１が、論理インタフェースＳＧｍｂおよびＳＧｉを介してＳＡＥ  ＧＷに接続される。論理インタフェースＳＧｍｂは、Ｒｅｌ６  ＭＢＭＳに関するＧｍｂインタフェースの１つとしての進化したインタフェースであることが可能であり、ＳＧｉは、Ｒｅｌ６コア・ネットワークに関するＧｉインタフェースの１つとしての進化したインタフェースであることが可能である。本発明は、以上に限定されず、論理インタフェースＳＧｍｂおよびＳＧｉは、従来のプロトコルにおいて規定される「基準点」と呼ばれることも可能であることに留意されたい。論理インタフェースＳＧｍｂおよびＳＧｉは、それぞれ、ユーザ・プレーンおよび制御プレーンに関する基準点である。３ＧＰＰネットワークは、ＳＡＥ／ＬＥＴより前のバージョンにおけるネットワークと比べて、基準点ＧｉおよびＷｉに対応し、基準点ＧｉおよびＷｉの機能を組み込む基準点ＳＧｉを介して、ＰＤＮに接続される。基準点Ｇｉは、３ＧＰＰネットワーク・アクセスＰＤＮをサポートし、基準点Ｗｉは、非３ＧＰＰのネットワーク・アクセスＰＤＮをサポートする。さらに、インタフェースＳＧｍｂは、ＳＡＥ／ＬＥＴより前の古いインタフェースＧｍｂに対応し、これら２つのインタフェースは、ＥＭＢＭＳサービスに専用の基準点である。ネットワークの進化は、コア・ネットワークにおける制御シグナリングを減らすため、インタフェースＳＧｍｂは、インタフェースＧｍｂと比べて、ユーザのサブスクリプションや認証などの或るシグナリングをサポートしない可能性がある。
【００２２】
ＢＭ−ＳＣ４１を事業者ＩＰサービスに接続する論理インタフェースＳｘは、例えば、ＭＢＭＳベアラ・サービスを介してＩＭＳ（ＩＰマルチメディア・システム）契約者サービスをサポートするように適合される。ＢＭＥ４４が、論理インタフェースＳ１２を介してサービングＳＡＥ  ＧＷ４２に接続され、論理インタフェースＳ１＿ＢＭＥを介してｅＮＢ４５にさらに接続される。
【００２３】
本発明におけるＭＢＭＳのための別々の論理機能エンティティは、ＭＭＥが制御プレーンに関し、ＵＰＥ（ユーザ・プレーン・エンティティ）がユーザ・プレーンに関するユニキャスト・サービスのための論理機能エンティティとは異なる。この実施形態では、別々の論理機能エンティティが、採用される。つまり、ＥＭＢＭＳ  ＢＭＥは、ＥＭＢＭＳと関係する制御プレーン機能を担い、ｍＵＰＥ（マルチキャストＵＰＥ）は、ＥＭＢＭＳと関係するユーザ・プレーン機能を担う。
【００２４】
図３をさらに参照すると、サービングＳＡＥ  ＧＷ４２は、インタフェースＳ１＿Ｕを介してｅＮＢ４５に接続されることが可能であり、さらに、それぞれ、インタフェースＳ１１、Ｓ４を介してＭＭＥ４７およびＳＧＳＮ５０に接続されることも可能である。ＰＤＮ  ＳＡＥ  ＧＷ４３は、ＳＧｉを介して事業者ＩＰサービスに接続されることが可能であり、さらにインタフェースＳ７を介してＰＣＲＦ４８に接続されることも可能である。ＰＣＲＦ４８は、インタフェースＲｘを介して事業者ＩＰサービスに接続されることが可能である。ｅＮＢ４５は、論理インタフェースＳ１＿ＭＭＥを介してＭＭＥ４７に接続されることが可能であり、さらにＭＭＥ４７は、それぞれ、インタフェースＳ３、Ｓ６ａを介してＳＧＳＮ５０およびＨＳＳ４９に接続されることが可能である。ＵＥ４６は、ＬＴＥ＿Ｕｕを介してｅＮＢに接続されることが可能であり、さらにＧＥＲＡＮネットワークおよびＵＴＲＡＮネットワークは、それぞれ、インタフェースＧｂおよびＩｕを介してＳＧＳＮに接続されることが可能である。
【００２５】
ＢＭ−ＳＣ４１は、３ＧＰＰ  Ｒｅｌ６におけるＢＭ−ＳＣの機能と同一の機能を有する。ＢＭ−ＳＣ４１は、コンテンツ・プロバイダのための入口の役割をし、ＥＭＢＭＳベアラ・サービスおよびＭＢＭＳセッション開始メッセージを開始し、事前定義されたスケジュールでＭＢＭＳサービス・データを伝送する。ＢＭ−ＳＣ４１は、移動端末装置へのサービス提供の開始点として、ブロードキャスト・プロトコルまたはマルチキャスト・プロトコルにおいてＥＭＢＭＳサービス・コンテンツを伝送する。ＳＡＥ  ＧＷとＢＭ−ＳＣ４１は、論理インタフェースＳＧｍｂおよびＳＧｉを介してシグナリングを交換する。ＢＭ−ＳＣ４１は、他の任意の適切なプロトコルにおいてメッセージおよびデータを伝送することもできることに留意されたい。また、ＢＭ−ＳＣ４１は、ネットワーク・セキュリティを保証しなければならない。
【００２６】
ＰＤＮ  ＳＡＥ  ＧＷ４３は、ＢＭ−ＳＣ４１からＭＢＭＳサービス・データおよびＭＢＭＳ制御シグナリングを受信し、または他のネットワーク・デバイスからサービス・データおよび制御シグナリングを受信し、サービス・パラメータをローカルで格納する。ＰＤＮ  ＳＡＥ  ＧＷ４３は、受信されたサービス・データをサービングＳＡＥ  ＧＷ４２に転送し、ＳＡＥ  ＧＷ４２は、ＭＢＭＳサービス・データおよびＭＢＭＳ制御シグナリングを受信し、その後、このデータに対してコア・ネットワーク処理を実行し、処理されたサービス・データを、下流のノードに送信する。ＳＡＥ  ＧＷは、ＥＭＢＭＳ配信ツリー管理の機能も有する。ネットワークに複数のｅＮＢ、および複数のゲートウェイが存在する場合、契約者データは、ツリー形状の構造において下方に送られる。この場合、ＳＡＥ  ＧＷは、ｅＮＢ４５と協力して、ツリー形状の構造において下方に契約者データを送るために或る特定の経路を選択する。
【００２７】
また、ＰＤＮ  ＳＡＥ  ＧＷは、ＢＷ−ＳＣまたは他のネットワークからＭＢＭＳサービス・データおよびＭＢＭＳ制御シグナリングを受信し、サービス・パラメータをローカルで格納し、受信されたサービス・データおよび受信された制御シグナリングをサービングＳＡＥ  ＧＷに転送する。
【００２８】
ＢＭＥ４４は、ＢＭ−ＳＣから送信されたＭＢＭＳセッション開始メッセージなどのＭＢＭＳに関する制御シグナリング、およびＭＢＭＳセッション更新／停止メッセージなどの他の制御シグナリングを受信し、処理し、転送し、さらにＭＢＭＳサービスの各アイテムに関連して、いずれのｅＮＢが、これらのメッセージを受信する必要があるかを、特定する。また、ＢＭＥ４４は、ＭＢＭＳサービスに関するコンテンツを格納し、ＭＢＭＳサービスの各アイテムに関連して、サービスエリアからｅＮＢまでのマッピング関係を格納する。ＢＭＥ４４は、ＥＭＢＭＳ配信ツリー管理の機能をさらに有する。
【００２９】
ＢＭＥ４４は、個別のネットワーク・セルとして実現されることが可能であり、あるいはＭＣＥまたはＭＭＥにおいて提供されることが可能であることに留意されたい。
【００３０】
ＢＭＥ４４は、ＥＭＢＭＳアーキテクチャにおけるアクセス・ネットワークとコア・ネットワークの制御プレーン境界セルとして個別のネットワークであることが可能である。さらに、ＢＭＣ４４は、将来のネットワーク進化が、拡張ＭＭＥをサポートする場合、つまり、ＭＭＥが、現在、規定されているユニキャスト・サービスだけでなく、ＥＭＢＭＳサービスもサポートすることができる場合、ＭＭＥ内に配置されることが可能である。ＳＦＮ（単一周波数ネットワーク）の運用のため、ＭＣＥ（マルチセル／マルチキャスト調整エンティティ）が、ＥＭＢＭＳに関する無線リソース割り当ての問題に対処するように３ＧＰＰによって特に規定される。また、ＢＭＥ４４は、将来のネットワーク進化が、ＭＣＥの機能を拡張する場合、つまり、ＭＣＥが、ＥＭＢＭＳサービス上でＳＦＮ運用のための制御プレーン処理を扱うことができるだけでなく、インタフェースＳ１上のＥＭＢＭＳ制御シグナリング（例えば、ＭＢＭＳセッション開始）の処理、ＭＢＭＳベアラのセットアップおよび解放、ならびに他の必要な制御プレーン機能をサポートすることもできる場合、ＭＭＥ内に配置されることが可能である。
【００３１】
ＢＭＥの数は、進化したパケット・コアにおける事業者の構成に依存する。ＳＡＥネットワークは、Ｒｅｌ６ネットワークより平坦であり、単一のＳＡＥ  ＧＷは、数千のｅＮＢに接続されることが可能である。各ＳＡＥ  ＧＷが、１つだけしかＢＭＥを有さない場合、受信されたＭＢＭＳセッション開始メッセージを数千回、複製して、複製されたＭＢＭＳセッション開始メッセージをそれぞれのｅＮＢに伝送することが必要である。この場合、ＢＭＥは、重い作業負荷を被り、このことは、いくつかのＭＢＭＳセッション開始メッセージが、同時に進行中である場合、さらに悪化する。ＭＢＭＳセッション開始メッセージの伝送が抱える潜在的な問題を回避するのに、複数のＢＭＥ４４が、単一のＳＡＥ  ＧＷのカバレッジにおいて提供されることが可能である。例として、ブロードキャスト・サービスのために、事業者の静的展開に従って最大ＳＦＮエリア当たり１つのＢＭＥが、提供されることが可能である。
【００３２】
サービングＳＡＥ  ＧＷ４２におけるｍＵＰＥが、ＢＭ−ＳＣ４１から送信されたＭＢＭＳサービス・データを受信し、進化したパケットＳＡＥにおいてデータを処理する。また、ｍＵＰＥは、受信されたＭＢＭＳサービス・データを下流のノードに割り当てる。各サービングＳＡＥ  ＧＷに関して、ＭＢＭＳサービスのアイテム当たり１つだけのｍＵＰＥが、提供される。
【００３３】
移動端末装置ローミングの状況において、ＭＭＥ／ＵＰＥは、アクセス・ネットワークにおける移動エンティティの役割をするのに対して、ＰＤＮ  ＳＡＥ  ＧＷは、ネットワークにおける機能エンティティの役割をする。ＦＭＣ（固定移動組み合わせ）制御を実施するのにＭＭＥ／ＵＰＥとＰＤＮ  ＳＡＥ  ＧＷの間で効率的なマッピングが、要求される。
【００３４】
図４は、本発明の実施形態によるＭＢＭＳをサポートするシステム・アーキテクチャ・エボリューションにおいてサービス・データを伝送するプロセスを示す流れ図である。
【００３５】
図４を参照すると、システム・アーキテクチャ・エボリューションにおいてＭＢＭＳサービス・データを伝送するプロセスが、ＭＢＭＳセッション開始メッセージの伝送を例にとることによって説明される。ステップＳ６０１で、ＢＭ−ＳＣ４１がまず、ＭＢＭＳセッション開始メッセージを開始し、このメッセージを、対応するＳＡＥ  ＧＷに伝送する。ＭＢＭＳセッション開始メッセージは、サービスに関するＩＤ、ＱｏＳ、サービスエリアなどの、メッセージについての属性およびパラメータを伝送する。ステップＳ６０２で、ＳＡＥ  ＧＷが、ＭＢＭＳセッション開始メッセージを受信した後、このメッセージの中に含まれるパラメータをローカルで格納し、ＭＢＭＳセッション開始メッセージを、対応するＥＭＣ４４に転送する。ステップＳ６０３で、ＳＡＥ  ＧＷが、応答メッセージをＢＭ−ＳＣに送り返して、ＭＢＭＳセッション開始メッセージの受信を確認する。
【００３６】
ステップＳ６０４で、ＢＭＥ４４が、ＳＡＥ  ＧＷから転送されたＭＢＭＳセッション開始メッセージを受信し、このメッセージの中に含まれるパラメータを格納し、受信されたＭＢＭＳセッション開始メッセージを、ＢＭＥ４４に接続され、ＭＢＭＳサービスエリア内に位置するｅＮＢのそれぞれに転送する。次に、ステップＳ６０５で、ＢＭＥ４４が、ＳＡＥ  ＧＷに応答メッセージを送り返して、ＭＢＭＳセッション開始メッセージの受信を確認する。本発明によれば、ＢＭＥ４４は、ＢＭＥ４４が、関与するｅＮＢから、そのｅＮＢにおけるＭＢＭＳセッション開始メッセージの受信に関する応答を受信する前に、ＳＡＥ  ＧＷに応答メッセージを送り返すことができる。本発明において、ＢＭＥからＳＡＥ  ＧＷへの応答メッセージの伝送に、強制的な時間制限は全く課せられないことに留意されたい。ＢＭＥ４４は、ＢＭＥ４４が、ｅＮＢから応答メッセージを受信した後に、ＳＡＥ  ＧＷに応答メッセージを送信することもできる。最後に、ステップＳ６０６で、ｅＮＢのそれぞれが、ＢＭＥに応答メッセージを送信して、そのｅＮＢにおけるＭＢＭＳセッション開始メッセージの受信を確認する。
【００３７】
以上の説明は、ＢＭＥがＭＢＭＳセッションを開始するプロセスを例にとることによって与えられているものの、ＢＭＥは、ＭＢＭＳセッション更新またはＭＢＭＳセッション停止などの他の制御プレーン・シグナリングを扱うこともできる。
【００３８】
以上の説明において、それぞれの論理的機能を実施するための手段は、「エンティティ」と呼ばれる。「エンティティ」という用語は、それぞれの論理的機能を有するセル、手段、およびデバイス、ならびに同様の意味を有する他の任意の用語を範囲に含むことに留意されたい。前述の機能は、ハードウェアで実現されることが可能である一方で、本発明は、ハードウェアで実現されることに限定されない。これらの機能は、コンピュータにおいて実行されるソフトウェアで実施されることも可能である。
【００３９】
本発明は、３ＧＰＰ  ＳＡＥにおいてＭＢＭＳサービス・データをサポートするためのシステム構造、およびＭＢＭＳ制御シグナリングおよびＭＢＭＳサービス・データの伝送にこのシステム構造を適用して、ＭＢＭＳ制御シグナリングおよびＭＢＭＳサービス・データがｅＮＢに効率的に着信することが可能であるようにするための方法を提供する。
【００４０】
本発明の例示的な実施形態が、以上に説明されてきたが、本発明の基本的な概念の変種および／または変形もやはり、添付の特許請求の範囲において規定される本発明の範囲内に含まれることが、当業者には明白であろう。
【図２】
0005653044.tif 000002
【図４】
0005653044.tif 000003
【図１】
0005653044.tif 000004
【図３】
0005653044.tif 000005